(57)【要約】      （修正有）【課題】縫製が容易で、シャツ上部のボタンをボタン穴に留めずに着用した場合でも、襟元の形をきれいな形に保つことができるシャツを提供する。【解決手段】シャツは、胴部の首ぐり４６に設けられた襟と、首ぐりに連続して設けられ、襟を左右に開く開襟部と、開襟部の端縁に沿って設けられ、上端が襟の下端部に接する前立２６と、を備えて構成した。前身頃１８に設けられた前立が、襟の取付部に接しているので、前身頃が襟の重さで湾曲することなく保持される。【選択図】図１
0003184964.tif 000002
【実用新案登録請求の範囲】
【請求項１】
胴部の首ぐりに設けられた襟と、
前記首ぐりに連続して設けられ、前記襟を左右に開く開襟部と、
前記開襟部の端縁に沿って設けられ、上端が前記襟の下端部に接する前立と、
を備えていることを特徴としたシャツ。
【請求項２】
前記胴部は、前身頃と前記前身頃に連続した後身頃とを有し、
前記前身頃は、上前身頃と下前身頃とを有し、
前記前立は、前記上前身頃の端縁及び前記下前身頃の端縁のそれぞれに設けられていることを特徴とする請求項１に記載のシャツ。
【請求項３】
前記開襟部は、前記胴部に形成された前記首ぐりから、前記胴部を一部破断して延びる切込部により形成され、前記切込部に形成された端縁に沿って前記前立が設けられていることを特徴とする請求項１に記載のシャツ。
【請求項４】
前記前立は、シャツ着用時に、前記開襟部が、前記襟の重みにより屈曲することなく、所定の形状を前記開襟部が保持する強度を備えていることを特徴とする請求項１〜３のいずれか１項に記載のシャツ。
【考案の詳細な説明】
【技術分野】
【０００１】
本考案は、襟元の形をきれいに保てるシャツに関する。
【背景技術】
【０００２】
紳士用のワイシャツは、胴部と、胴部に設けられた袖部と、胴部上部に設けられた襟部等を備えている。胴部は、前身頃と後身頃とを備えている。前身頃には、前端縁に沿って前立(まえたて)が設けられている。前立にボタンやボタン穴が形成され、ワイシャツの前身頃がボタンで開閉する。
【０００３】
ワイシャツは、胴部の上部に襟台を設け、襟台を介して襟が設けられている。紳士用のワイシャツでは、ネクタイをしない場合、襟台に設けられている第１のボタンをボタン穴に留めないと、前身頃が湾曲して襟台が下がることがある。襟台が下がると、襟元が開いてしまい、ワイシャツが本来有している襟の形が保てなくなり、くだけたイメージを与える場合がある。
【０００４】
一方、前立に芯材を用い、ボタンを留めないときでもシャツの襟元が下がらないようにする発明が知られている。しかし、芯材を用いる場合は、部品点数が増加したり、縫製に手間がかかっていた。
【先行技術文献】
【特許文献】
【０００５】
【特許文献１】特開２００９−２４２６６号公報
【考案の概要】
【考案が解決しようとする課題】
【０００６】
考案が解決しようとする課題は、縫製が容易で、シャツ上部のボタンをボタン穴に留めずに着用した場合でも、襟が垂れ下がらず、襟元の形をシャツ本来のきれいな形に保つことができるシャツを提供することにある。
【課題を解決するための手段】
【０００７】
上記の課題を解決し、目的を達成するため、本考案では、胴部の首ぐりに設けられた襟と、首ぐりに連続して設けられ、襟を左右に開く開襟部と、開襟部の端縁に沿って設けられ、上端が前記襟の下端部に接する前立と、を備えてシャツを構成した。
【考案の効果】
【０００８】
本考案によれば、前身頃に設けられた前立が、襟の取付部に接しているので、前身頃が襟の重さで湾曲することなく保持される。したがって、着用した際に、襟が垂れ下がったりすることがなく、襟元の形をシャツが本来有している見栄えの良い状態に保つことができる。
【図面の簡単な説明】
【０００９】
【図１】本考案にかかる一実施形態のワイシャツを示す正面図。
【図２】同ワイシャツの前身頃と前立とを示す正面図。
【図３】同ワイシャツの襟部の一部を示す斜視図。
【図４】同ワイシャツの襟部の一部を示す分解斜視図。
【図５】同ワイシャツの襟部の一部を示す斜視図。
【図６】同ワイシャツを着用した状態を示す斜視図。
【考案を実施するための形態】
【００１０】
本考案にかかる一実施形態のシャツについて、図を用いて説明する。図１は、一実施形態のワイシャツ１０を示す正面図である。図２は、ワイシャツ１０の前身頃１８と前立２６とを示す正面図である。図３は、ワイシャツ１０の襟部１６を示す斜視図である。図４は、襟部１６を示す分解斜視図であり、前立２６を取り付ける状態を示す。図５は、襟部１６を示す斜視図であり、襟５０を立てた状態を示す。図６は、ワイシャツ１０を人Ａが着用した状態を示す斜視図である。
【００１１】
ワイシャツ１０は、図１に示すように、紳士用のシャツであり、胴部１２と、袖部１４と、襟部１６とを備えて形成されている。以下、ワイシャツ１０について、図６に示すようにワイシャツ１０を着用した人Ａが直立した状態において、人Ａの前方と同方向をワイシャツ１０の前方とし、それを基準にワイシャツ１０の後方、及び左右を定める。又、かかる状態で、重力の方向をワイシャツ１０の下方、その逆を上方とし、更に、外表面から内部に向かう方向を内側、その逆を外側とする。尚、前身頃に関しては、前後に重なるが、上前身頃、下前身頃とする。
【００１２】
又、以下説明において、ある部材とある部材とを縫い合わせる、あるいは、ある部材をある部材に縫い付けることを、特に縫製動作を考慮しない場合等においては、単にある部材を取り付けるといったり、設けるという場合がある。又、ある部材とある部材とが縫い付けられていることを、取り付けられている、有している、あるいは設けられているという場合がある。
【００１３】
ワイシャツ１０の胴部１２は、図６に示すように、前方に前身頃１８を、後方に後身頃２０を有している。前身頃１８は、図１にも示すように、上前身頃２２と下前身頃２４とから形成されている。上前身頃２２と下前身頃２４とには、前立２６が設けられている。前立２６には、後述するボタン穴６０及びボタン６２が設けられている。ワイシャツ１０は、ボタン６２で前身頃１８が開閉する前開きシャツである。
【００１４】
上前身頃２２を、図２に示す。図２に示すように、上前身頃２２の外縁は、図の向かって左側に縦方向に延びる右端縁３０と、右側に設けられている左端縁３２と、右端縁３０と左端縁３２とを上部で連結する上部端縁３４と、右端縁３０と左端縁３２とを下部で連結する下部端縁３６とで形成されている。上部端縁３４は、更に、上端縁肩部４０と上端縁首部４２とで形成されている。
【００１５】
下前身頃２４は、上前身頃２２とほぼ対称形状に形成されている。下前身頃２４の説明は、上前身頃２２の説明に代えて省略する。ここで前身頃というとき、上前身頃２２と下前身頃２４が一体になった前身頃１８のみでなく、上前身頃２２と下前身頃２４とのいずれか一方を指していう場合がある。
【００１６】
図６に示すように、上前身頃２２の左端縁３２と後身頃２０の左側縁とが縫い合わされる。上前身頃２２の上端縁肩部４０と後身頃２０の左側上部とが縫い合わされる。上前身頃２２の右端縁３０に、前立２６が設けられる。上前身頃２２に設けられた前立２６を上前立５６と呼ぶ。
【００１７】
下前身頃２４は、下前身頃２４の右端縁と後身頃２０の右側縁とが縫い合わされる。下前身頃２４の上端縁肩部と後身頃２０の右側上部とが縫い合わされる。下前身頃２４の左端縁に、前立２６(下前立５８)が設けられる。これにより、胴部１２がほぼ形成される。
【００１８】
胴部１２は、上部左右両側に、肩ぐり４４が形成されている。肩ぐり４４には、袖部１４が取り付けられる。袖部１４は、筒体状で、胴部１２の左右両側の肩ぐり４４に縫い付けられる。
【００１９】
胴部１２の上部中央には、首ぐり４６が形成されている。首ぐり４６は、後身頃２０の上端縁と上前身頃２２の上端縁首部４２と下前身頃２４の上端縁首部とに沿って形成されている。首ぐり４６には、襟部１６が取り付けられる。
【００２０】
襟部１６の上前身頃２２側の一部を図４に示す。襟部１６は、襟５０と襟台５２とを有している。襟台５２は、下端部が、胴部１２の首ぐり４６に沿って縫い付けられている。襟台５２の右端部５３は、図４に示すように、上前身頃２２の右端縁３０の位置にほぼ一致している。襟台５２の左端部は、下前身頃２４の左端縁の位置にほぼ一致している。襟台５２は、適度な硬さを有し、図６に示すように、人Ａが着用したとき所定の形状を保持する。
【００２１】
襟５０は、襟５０の内周縁が、襟台５２の上端縁に沿って縫い付けられている。襟５０は、図３に示すように、先端が、襟台５２から前方斜め下方に向くように設けられている。襟５０は、襟台５２と同様、適度な硬さを有し、人Ａが着用したとき本来有している所定の形状を保持する。
【００２２】
前立２６は、前述したように上前身頃２２に設けられる上前立５６と下前身頃２４に設けられる下前立５８とからなっている。前立２６は、基本的に図２に示すように、前身頃１８の上部端縁３４から下部端縁３６までに到るに十分な長さを有している。ここで、前立というとき、上前立５６と下前立５８との双方を組み合わせていう場合と、上前立５６と下前立５８とのそれぞれを単に前立という場合がある。
【００２３】
上前立５６は、図４に示すように、上前身頃２２の右端縁３０に取り付けられる。上前立５６は、２つ折りで、上前身頃２２の右端縁３０を表裏から挟むようにして上前身頃２２の右端縁３０に縫い付けられる。前立２６は、基本的にワイシャツ１０を形成する生地と同一の生地であるが、異なる素材で形成してもよい。下前立５８も同様に下前身頃２４に形成される。
【００２４】
上前立５６には、図５に示すようにボタン穴６０が複数設けられている。ボタン穴６０は、下前立５８に取り付けられたボタン６２が通る大きさで、第１のボタン６２から順次最下端のボタン６２まで、各ボタン６２に対応して設けられている。
【００２５】
下前身頃２４は、前述したように上前身頃２２とほぼ対称な形状を有している。下前立５８は、下前身頃２４の左端縁に沿って設けられている。下前立５８には、上から第１のボタン６２、第２のボタン６２の順にボタン６２が複数縫い付けられる。
【００２６】
上前立５６は、更に図３、図５に示すように、上前立５６の上縁５７が襟台５２を越え、襟５０が襟台５２に取り付けられている取付部５５に接するように設けられている。上前立５６の上縁５７は、図３に示すように、襟５０を折り曲げた場合、取付部５５を境にして襟５０が下方に支障なく折り曲げ可能に設けられている。
【００２７】
上前身頃２２は、上前立５６が上前身頃２２の右端縁３０に、襟５０の取付部５５に接するように縫い付けてあることから、適度な強度と張りとを有するように形成されている。上前身頃２２に適度な強度と張りがあるとは、例えば、第１のボタン６２をボタン穴６０に留めない状態で、ワイシャツ１０を着用した場合でも、上前身頃２２、特に襟台５２が垂れ下がらず、襟台５２を立てた状態、すなわち、ワイシャツ１０が本来有している襟５０の所定の形が保持できる強さや形状保持性をいう。
【００２８】
又、下前立５８も、上前立５６と同様に、上縁が襟５０の襟台５２への取付部５５に接するように下前身頃２４に設けられている。下前身頃２４も、下前立５８が下前身頃２４の左端縁に、上縁が襟５０の取付部５５に接するように縫い付けてあることから、上前身頃２２が有すると同様、適度な強度と張りとを有している。上前身頃２２と下前身頃２４と上前立５６と下前立５８と襟台５２を含めて、実用新案登録請求の範囲でいう襟の開襟部が構成される。
【００２９】
このようにワイシャツ１０は、上前身頃２２と下前身頃２４とが、上前立５６と下前立５８とにより適度な強度を有していることから、人Ａがワイシャツ１０を着用した際、襟台５２が垂れ下がらず、立ち上った状態に保持される。これにより、ワイシャツ１０が本来有している形態に従って、襟５０の形が保たれる。したがって、仮に、ワイシャツ１０の第１のボタン６２をボタン穴６０に留めずに着用した場合でも、襟部１６の形にくずれず、襟元の形をきれいに保つことができる。
【００３０】
尚、襟５０は、形状や強度を上記実施形態に示したものに限るものではない。襟５０は、襟５０の先端部等に芯材を入れて襟の形状を保持したものでも、あるいは柔らかい素材から形成されたものでもよい。又、襟台５２のない襟部１６であってもよい。又、襟５０は、詰め襟のような、立て襟でもよい。襟５０を立て襟とした場合は、前身頃１８と後身頃２０の首ぐり４６に沿って、立て襟の襟５０を直接取り付け、立て襟と前身頃１８との取付部に接するように、あるいは襟５０の上縁まで延ばして前立２６を形成する。
【００３１】
又、シャツは、開襟シャツでなく、ポロシャツのように、かぶって着用する形式のシャツでもよい。ポロシャツは、首ぐりに実用新案登録請求の範囲でいう切込部を備え、その切込部に前立が、襟の取付部まで延びて取り付けられているとする。ポロシャツの場合、前立の部分が開襟部である。
【００３２】
更に、前立は、前身頃の端縁に別布を縫い付けて形成しても、あるいは、前身頃の端縁を折り込んで形成してもよい。更に、適度な強度を有する芯材を前立に取り付けたり、あるいは芯材を前立の内部に縫い付けてもよい。その際、芯材は、少なくとも芯材の上部を、襟の取付部に接する位置まで延ばして縫い付けることが好ましい。又、シャツの留め具としては、ジッパー、ホックなど、ボタンでなくともよく、更に、ボタンやボタン穴等の留め具が前立に設けられていなくともよい。
【００３３】
更に、左右の前立は、シャツの前後に重ねられている形式でなくともよい。又、前立に飾りが設けられていてもよい。ワイシャツ１０の袖部１４は、長袖であっても半袖であってもよい。更に本考案は、紳士用のシャツでなく、婦人用のシャツ、ブラウス、子供用の衣類等に用いてもよい。
【産業上の利用可能性】
【００３４】
本考案は、襟と前立とを備えたシャツに利用できる。
【符号の説明】
【００３５】
１０…ワイシャツ、１１…シャツ、１２…胴部、１４…袖部、１６…襟部、１８…前身頃、２０…後身頃、２２…上前身頃、２４…下前身頃、２６…前立、３０…右端縁、３２…左端縁、３４…上部端縁、３６…下部端縁、４０…上端縁肩部、４２…上端縁首部、５０…襟、５２…襟台、５３…右端部、５５…取付部、５６…上前立、５７…上縁、５８…下前立、６０…ボタン穴、６２…ボタン、Ａ…人。
【図１】
0003184964.tif 000003
【図２】
0003184964.tif 000004
【図３】
0003184964.tif 000005
【図４】
0003184964.tif 000006
【図５】
0003184964.tif 000007
【図６】
0003184964.tif 000008